(57)【要約】 【課題】    従来の軸組工法の全体工期は約１２０日で、工事の大半に当たるのは、墨付け、刻み、内部造作（下地工事）、木工事等であり、そのうち建て方から内外装、下地工事までの所要日数は少なくとも約５０日を要する。【解決手段】  低層木造建築に於いて躯体構造の軸組の主要部材を可能な限り規格化、且つ、小点数化し、プレカット等による加工で精度、作業効率の向上と品質管理を容易にして工場生産を可能とし、改良木造軸組工法と枠組壁工法とを併用して工期を大幅に短縮するための建築部材の製造法を提供する。【選択図】    図４  
2005002793.tif 000002
【特許請求の範囲】
【請求項１】
所要地面を整地し、該整地地面に建築される所望木造建築物の平面形状に応じて地墨を引く工程と；
該整地地面にビニール・シートを敷く工程と；
所要直径と長さとを有し、その平坦な上端から下端近くまで中空とし、その下端を逆円錐形とした円筒形中空管の管状壁内に一定間隔で複数本の鉄筋を埋設したコンクリ―ト・パイプ杭を該地墨の所望箇所で地耐力が必要な硬度を有する地盤に該円錐形下端が達するまで打ち込む工程と；
該コンクリ―ト・パイプ杭の上部を破壊して内部の複数本の該鉄筋の上端部を露出させる工程と；
該コンクリ―ト・パイプ杭上に、所要数の横鉄筋を所要間隔で配置した逆Ｔ字形コンクリ―ト成形型枠を配置し、該横鉄筋の該コンクリ―ト・パイプ杭の該露出鉄筋と該鉄筋の上端部とを絡ませて連結する工程と；
該逆Ｔ字形コンクリ―ト成形型枠と該コンクリ―ト・パイプ杭内に生コンクリ―トを注入する工程と；
該注入コンクリ―トが硬化後該逆Ｔ字形コンクリ―ト成形型枠を脱型してコンクリ―ト基礎本体を形成する工程と；
該コンクリ―ト基礎本体上に外側面に一定間隔で空気溝を形成した土台を配置し、該通柱、管柱の幅及び開口部が所要間隔以上である場合は、該土台、床組、小屋組、隅角部及び主要所要Ｔ字部に火打金物を設けて構造駆体(軸組)を構成する工程と；
該構造駆体(軸組)に棟木及び垂木を設け、屋根及び下張材、火打金物及び下張材を取付ける工程と；
洋間用大壁、和室用真壁、開口部用パネル等を取付けて外壁パネルを形成する工程と；
防腐・防蟻処理後一階壁と一階床組とを形成する工程と；
床補強、開口部補強及び床開口部を補強して二階床組を形成する工程と；
天井野縁セットを取付ける工程と；
大壁、方真壁、真壁、開口部用枠を取付けて内枠を形成する工程と；
石膏ボード、所要設備機器、下地材を取付ける工程と；
から成る建築工法。
【請求項２】
所要整地地面の所望木造建築物の平面形状に応じて引かれた地墨の所望箇所で、所要直径と長さを有し、その平坦な上端から下端近くまで中空とし、円筒体の外壁内に一定間隔で複数本の鉄筋を埋設し、円錐形下端が地耐力に必要な地盤に該逆円錐形下端が達するまで打ち込まれたコンクリ―ト・パイプ杭と；
該コンクリ―ト・パイプ杭の上部を破壊して露出した複数本の鉄筋に、水平基礎の両端から突出する複数本の鉄筋を連結した基礎本体と；
該基礎本体上に設けられた土台と；
該土台に設けられた通柱及び管柱と、該通柱に接続された胴差と、該管柱に接続された桁とを有する構造駆体（軸組）と；
該構造駆体（軸組）に設けられた棟木、火打金物及び垂木と、且つ取付けられた屋根及び下張材と；
洋間用大壁、和室用真壁、開口部用パネル等を取付けて形成される外壁パネルと；
防腐・防蟻処理後形成された一階壁と一階床組と；
床補強、開口部補強及び床開口部を補強して形成された二階床組と；
該二階床組に取付けられた天井野縁セットと；
大壁、方真壁、真壁、開口部用枠を取付けて形成された内枠と；
取付けられた石膏ボード、所要設備機器及び下地材と；
から成る建築構造。
【請求項３】
該床板の仕上げ材の下に設けられたコンクリ―ト床内に給湯管を配置し、暖房を実施可能として成る請求項２記載の建築構造。
【請求項４】
長手方向に所要間隔で設けられた布クランプを有し、所望木造建築物の足場に所要間隔で垂直に立てられた支柱と；
下端裏側に逆Ｕ字形クランプと、その上部に所要間隔で設けられた布クランプ及び建クランプと、表側下端に一段目の足場板と、中間部に二段目の足場板と、上端に三段目の足場板とを有し、該支柱に懸架自在とした請求項１〜３記載の足場パイプ。
【発明の詳細な説明】
【技術分野】
【０００１】
この発明は、建築工法、建築構造及び足場パイプに関し、更に詳しくは低層木造建築に於いて構造躯体の軸組の主要部材を規格化、且つ、小点数化し、工場生産を可能とし、改良木造軸組工法と枠組壁工法とを併用して工期を大幅に短縮する建築工法、建築構造及び足場パイプに関する。
【従来の技術】
【０００２】
現在木造建築としては、軸組工法が主流で、他に壁パネル工法があり、これらの中間に位置するものとしてツーバイ工法がある。
木造軸組工法は、伝統をふまえた日本の気候風土に適した工法として広く実施されている。
【発明の開示】
【発明が解決しようとする課題】
【０００３】
近年益々深刻化している大工技能者等の労働者不足、土地の高騰に伴う作業場・材料置き場が郊外においやられる等、建築職場の環境は悪化する傾向にある。
【０００４】
従来の軸組工法の全体工期は約１２０日で、工事の大半に当たるのは、墨付け、刻み、内部造作(下地工事)、木工事等であり、そのうち建て方から内外装、下地工事までの所要日数は少なくとも約５０日を要する。
【０００５】
従来木造建築物を所要地面に建て上げるには、該地面を約３０ｃｍ〜５０ｃｍの深さに掘起こし、玉砂利を敷いた後そこにコンクリート型枠とアンカー・ボルトとを設置し、該コンクリート型枠の中に生コンクリートを流し込み、該生コンクリートの硬化後該コンクリート型枠を取外し、該コンクリート型枠上に所要土台を設置している。
しかし該地面を掘起こすのでその地盤周囲が軟弱化し、木造建築物にとっては不都合である。
【０００６】
又大工技能者等が有する技能をより効率的に生かし得る工法が要求され、特殊な技能を必要としない範囲での合理化が重要であり、地域の住宅様式、気候風土等に対応出来る設計及び仕様等、幅広い選択性を有することが要求される。
【０００７】
更に大工技能者等の不足から、建築材の標準化や天井下地のセット化、工期の短縮化も要望されている。
【０００８】
加えて住宅、その他の現在実施されている暖房は、床暖房よりも天井から実施する場合が多い(下よりも上から暖房する)。しかし熱は下から上に上がる性質があるので、下を暖房する方が、暖房効果が大きい。
【課題を解決するための手段】
【０００９】
この発明は、低層木造建築に於いて構造躯体の軸組の主要部材を規格化、且つ小点数化し、工場に於けるプレカット生産を可能として精度、作業効率化と品質管理とを実現し、施工にあたっては木造建築物を整地した所要箇所に建築専用の特殊機械が無くても組立を容易とし、改良木造軸組工法と枠組壁工法とを併用して工期を大幅に短縮する建築工法、建築構造及び足場パイプである。
【発明の効果】
【００１０】
（１）この発明に係る建築部材の製造法によれば、三階以下の低層木造建築に於いて、躯体構造の軸組の主要部材を可能な限り規格化、且つ、小点数化により工場生産が可能となり、工場に於けるプレカット等による加工精度、作業効率の向上と品質管理を容易にする。
【００１１】
（２）その結果、構造面対に外壁用パネルＯＰを使用するので、耐震性を補強可能となり、従来の様な筋違いが不要となる。
【００１２】
（３）土台１０の外側面１０ａに一定間隔で空気溝１０ｂを形成したので、外壁用パネルＯＰの内側と断熱材との間に空気が流通するので換気が良くなり、結露防止に格段の効果を有する。
【００１３】
（４）枠組壁工法による床組を公知の躯体構造、桁と一体化させるので、床側面の強度が増し、耐震性も強化され、更に合わせ床根太を使用することにより、胴差、桁、梁等の断面寸法が一定となる。
【００１４】
（５）前述の通り、躯体構造の軸組の主要部材を可能な限り規格化、且つ、小点数化し、工場生産を可能とし、改良木造軸組工法と枠組壁工法とを併用したので、工期を大幅に短縮可能とする。
【００１５】
（６）公知の建築工法によれば、躯体構造の工事日数は、土台の取付けから屋根葺まで１週間乃至２週間を必要とし、公知の木造軸組工法の全体工期は、約１２０日を必要としたが、この発明に係る建築工法によれば、躯体構造の工事日数は、１日となるので天候の影響を殆ど受けなくなり、しかも足場パイプ等の利用により専用のクレーン、レッカー、リフト等の専用機械を必要としないので、全体工期は約５０日と画期的に短縮可能となる。
【実施例】
【００１６】
この発明に係る請求項１記載の建築工法の実施例を図面について説明する。夫々所要長さ、幅及び厚みを有する土台１０、柱１２、胴差（通し柱に接しているもの）１４、桁（通し柱に接していないもの）１６及び火打金物１８等の構造躯体(軸組)Aの軸組の主要部材を製作する。該柱１２の一辺は、１０５ｍｍを標準とし、９０ｍｍ、１００ｍｍ、１２０ｍｍ角等を自由に選択自在とする。該構造躯体(軸)Aに設けられる小屋組Bの桁１６、棟木２２、火打金物１８、垂木２４、束２６及び吊木受２８の各部材を製作する。次に夫々所要長さ、幅及び厚みを有する垂木２４、野地板３２等の屋根R用各部材を製作し、更に外壁用パネルOPを製作する。
【００１７】
夫々所要長さ、幅及び厚みを有する床根太３４、側根太３４ａ、端根太３４ｂ、合わせ床根太３４ｃ等の床組ＦＬを製作する。夫々所要長さ、幅及び厚みを有する火打金物１８等を取付けて間仕切り枠、天井下地材(野縁組)３０を取付けられる様にする。
【００１８】
主要構造部材に用いる部材（柱１２、胴差１４、桁１６及び火打金物１８、屋根梁等）は、日本農林規格（JAS）に適合したものとし、土台１０は、日本工業規格（JIS）に定める加圧式防腐処理木材、又は日本農林規格（JAS）の防腐・防蟻処理又は防腐処理可能の表示の木材等で耐久性を有するものとする。床根太３４、合わせ床根太３４ｃ、合わせ梁及び垂木２４等に用いる木材は、枠組組み壁工法構造製材の日本農林規格（JAS）に規定する甲種枠組材とし、床梁に用いる集成材は、構造用集成材とする。
【００１９】
従って前述の通り、改良木造軸組部材の規格化と小点数化とによりCAD・CAMを介し工場でプレカット生産が容易となるので、プレカット材、パネル等の量産が可能となる。
【００２０】
図４〜１１に於いて、請求項２に記載する建築工法は、所要地面を平らに整地し、該整地地面G１に建築される所望木造建築物の平面形状に応じて地墨(生石灰粉)を引き、該整地地面G１にビニール・シートSを敷く。
【００２１】
次に直径１０ｃｍと長さ１ｍとを有し、その平坦な上端から下端近くまで直径５ｃｍを有する円筒形中空管４０ａとし、その下端を円錐形４０ｂとした円筒形壁体４０ｃ内に、一定間隔で複数本の鉄筋４２を埋設したコンクリート・パイプ杭４０の該円錐形下端４０ｂが該地墨の所望箇所で地耐力に必要な地盤G２に達するまで打ち込んで基礎Bを形成する。
【００２２】
所要数の横鉄筋４６を埋設した台座４４を該コンクリート・パイプ杭４０上に置き、該コンクリート・パイプ杭４０の上部をハンマー等（図示せず）で叩いてコンクリートを破壊し、複数本の該鉄筋４６の上端部を露出させ、該上端部を該台座４４の該横鉄筋４６の先端部と絡ませて連結する。
【００２３】
図４に於いて、外側面１０ａに一定間隔で空気溝１０ｂを形成した土台１０を台座４４上に設け、該土台１０上に通柱５２と管柱５４とを設け、該通柱５２と該管柱５４とに胴差５２ａを接続し、且つ、該管柱54と該管柱54とに桁54aを夫々接続して構造躯体(軸組)Aを構成する。
【００２４】
該土台１０上に設けられる該通柱５２と該管柱５４との間に設けられる断熱材INと外壁パネルOPとの間に形成される間隙Gは、該土台１０の該外側面１０ａに一定間隔で該空気溝１０ｂと連通するので空気が流通して換気作用を有する。
【００２５】
該通柱５２と該管柱５４の幅及び開口部が所要間隔以上である場合は、該土台１０、床組、小屋組C、隅角部及び主要な所要なＴ字部に火打金物１８を設けて歪みを防止する構成とし、該構造躯体（軸組）Aに棟木２２と垂木２４、火打金物１８及び垂木２４を設け、屋根Ｒ及び下張材Ｒ１を取付ける。
【００２６】
外壁パネルＯＰは、洋間用大壁、和室用真壁、開口部用パネル等を取付けて成る。
【００２７】
防腐・防蟻処理後一階壁と一階床組とを形成し、床補強、開口部補強及び床開口部を補強して二階床組を形成し、天井野縁セットを取付け、大壁、方真壁、真壁、開口部用枠を取付けて内枠を形成し、最後に石膏ボード、所要設備機器、下地材を取付ける建築工法である。
【００２８】
請求項３に於いて、所要整地地面の所望木造建築物の平面形状に応じて引かれた地墨の所望箇所で、所要直径と長さとを有し、その平坦な上端から下端近くまで中空とし、円筒形中空体４０ａの管状壁内に一定間隔で複数本の鉄筋４２を埋設し、円錐形下端４０ｂが地耐力に必要な地盤G２に達するまで打ち込まれたコンクリート・パイプ杭４０と、該コンクリート・パイプ杭４０の上部を破壊して露出した複数本の鉄筋４２に、水平台座４４の両端から突出する複数本の鉄筋４６を連結して基礎Bとする。
【００２９】
該基礎B上に土台１０を設け、該土台１０に設けられた通柱５２と管柱５４とを有し、該通柱５２に接続された胴差５２ａと、該管柱５４に接続された桁54aとを有する構造躯体（軸組）Aとし、複数本の該鉄筋４６の上端部を露出させ、該上端部を該台座４４の該横鉄筋４６の先端部と絡ませて連結する。
【００３０】
該構造躯体（軸組）Aに設けられた棟木２２、火打金物１８及び垂木２４と、且つ、取付けられた屋根Ｒ及び下張材Ｒ１を有する。そして洋間用大壁、和室用真壁、開口部用パネル等を取付けて形成された外壁パネルOPを有する。
【００３１】
更に防腐・防蟻処理後形成された一階壁と一階床組と、床補強、開口部補強及び床開口部を補強して形成された二階床組と、該二階床組に取付けられた天井野縁セットと、大壁、方真壁、真壁、開口部用枠を取付けて形成された内枠と、取付けられた石膏ボード、所要設備機器及び下地材とから成る建築構造である。
【００３２】
小屋組Ｃは、図13に示す通り、原則として屋根梁方式、束建て方式とし、垂木２４を受ける棟木２２、屋根梁は軸組工法及び枠組壁工法（合わせ梁等）の構成とし、小屋組C（桁、梁等）の補強は、天井梁（天井根太の合わせ梁）により実施し、柱間隔及び間口部が１８２０ｍｍ以上ある場合は、まくら梁を用いて補強する。
【００３３】
図7に示す通り、請求項4に於いて、該床板ＦＬの仕上材ＦＬ１  の下に設けたコンクリート床ＣＦ内に給湯管HPを配置し、暖房を実施可能とする。
【００３４】
図１７、１８に示す通り、請求項５に於ける足場パイプFPは、所望木造建築物の足場に隣接して所要間隔、例えば３ｍ置きで垂直に建てらあれる複数本の円筒形支柱６０を有する。該各円筒形支柱６０に隣接して設けられるパイプ６２の表側長手方向上下端と中間部に夫々一段目足場板６２ａ、二段目足場板６２ｂ、三段目足場板６２ｃを設け、且つ、該パイプ６２の裏側長手方向上端と下端近くに縦クランプ６２ｄを設け、その最下端に逆U字形縦クランプ６２ｅを設け、該縦クランプ６２ｄの下部と該各円筒形支柱６０の最下端に設けた布に懸架自在の構成とする。
【００３５】
該パイプ６２の裏側長手方向で該上下端縦クランプ６２ｄに隣接して上下布クランプ６２ｆを設けて手摺の代わりとする。
【図面の簡単な説明】
【００３６】
【図１】この発明に係る建築部材の製造法により製造した建築部材により製造する過程の二階建て木造住宅の斜視図である。
【図２】図１に示す二階建て木造住宅の完成した実施例の斜視図である。
【図３】図１、２に示す二階建て木造住宅の躯体構造の拡大正面略図である。
【図４】図１に示す躯体構造の左端の部分拡大断面略図である。
【図５】図４図６躯体構造の他の実施例の左端の部分拡大断面略図である。
【図６】基礎を作成する状態を示す斜視図である。
【図７】図６に示す基礎、その下部に設けられるコンクリート・パイプ杭、土台、その上に設けられる通柱及び管柱の一部透視部分拡大斜視図である。
【図８】図７に示すコンクリート・パイプ杭の一部切欠拡大正面略図である。
【図９】図８に示すコンクリート・パイプ杭の平面図である。
【図１０】図９に示すコンクリート・パイプ杭のX1−X1線断面図である。
【図１１】図８〜１０に示すコンクリート・パイプ杭の上端部の鉄筋と台座の横鉄筋とを絡ませて連結する状態を示す部分拡大斜視図である。
【図１２】躯体構造を作成する状態を示す部分拡大斜視図である。
【図１３】小屋組を示す分解正面略図である。
【図１４】床板の仕上材の下に設けたコンクリート・パイプ床内に給湯管を配置し、暖房を実施可能とする基礎を作成する状態を示す分解正面略図である。
【図１５】火打金物の拡大斜視図である。
【図１６】火打金物の他の実施例の拡大斜視図である。
【図１７】足場パイプを家屋に設けた実施例の側面略図である。
【図１８】足場パイプの拡大側面略図である。
【符号の説明】
【００３７】
A  ・・・  躯体構造（軸組）；
B  ・・・  基礎：
C  ・・・  小屋組；
PF  ・・・  足場パイプ；
OP  ・・・  外壁用パネル；
R  ・・・  屋根；
S  ・・・  ビニール・シート；
１０  ・・・  土台；
１０ａ  ・・・  外側面；
１０ｂ  ・・・  空気溝；
１２  ・・・  柱；
１４  ・・・  胴差；
１６  ・・・  桁；
１８  ・・・  火打金物；
２２  ・・・  棟木；
２４  ・・・  垂木；
２６  ・・・  束；
２８  ・・・  吊り木受け；
３０  ・・・  天井下地材(野縁組)；
３２  ・・・  野地板；
３４  ・・・  床根太；
３４ａ  ・・・  側根太；
３４ｂ  ・・・  端根太；
３４ｃ  ・・・  合わせ根太；
４０  ・・・  コンクリート・パイプ杭：
４２  ・・・  鉄筋；
４４  ・・・  台座；  
４６  ・・・  横鉄筋；
５２  ・・・  通柱；
５２ａ  ・・・  胴差；
５４  ・・・  管柱；
５４ａ  ・・・  桁。
【図１】
2005002793.tif 000003
【図２】
2005002793.tif 000004
【図３】
2005002793.tif 000005
【図４】
2005002793.tif 000006
【図５】
2005002793.tif 000007
【図６】
2005002793.tif 000008
【図７】
2005002793.tif 000009
【図８】
2005002793.tif 000010
【図９】
2005002793.tif 000011
【図１０】
2005002793.tif 000012
【図１１】
2005002793.tif 000013
【図１２】
2005002793.tif 000014
【図１３】
2005002793.tif 000015
【図１４】
2005002793.tif 000016
【図１５】
2005002793.tif 000017
【図１６】
2005002793.tif 000018
【図１７】
2005002793.tif 000019
【図１８】
2005002793.tif 000020